(57)【要約】【課題】  苗の植え付け作業が容易であり、しかも雑草の発生がほとんど無く、さらに土壌が流れたりするという心配のない法面の緑化方法を提供することを目的とするものである。【解決手段】  グラウンドカバープランツを用いて法面を緑化するにあたり、透水性、通気性、抑草性を有すると共に植物の根を通す性質を有するシート上に培養土を敷き、グラウンドカバープランツを植え付け育苗した後、生育したグラウンドカバープランツの苗を前記シートと共に剥がし、法面に張り付けることを特徴とする法面の緑化方法を提供するものである。【選択図】  なし【特許請求の範囲】
【請求項１】
グラウンドカバープランツを用いて法面を緑化するにあたり、透水性、通気性、抑草性を有すると共に植物の根を通す性質を有するシート上に培養土を敷き、グラウンドカバープランツを植え付け育苗した後、生育したグラウンドカバープランツの苗を前記シートと共に剥がし、法面に張り付けることを特徴とする法面の緑化方法。
【請求項２】
透水性、通気性、抑草性を有すると共に植物の根を通す性質を有するシートが、ポリプロピレンの繊維を熱圧着してなるポリプロピレン製不織布からなるものである請求項１記載の方法。
【請求項３】
育苗している期間中、光透過性、透水性、通気性を有するシートで覆う請求項１又は２記載の方法。
【請求項４】
グラウンドカバープランツが、宿根バーベナ又はヒメイワダレソウである請求項１〜３のいずれかに記載の方法。
【発明の詳細な説明】
【技術分野】
【０００１】
本発明は法面の緑化方法に関し、詳しくは水田畦畔等の法面を宿根バーベナなどのグラウンドカバープランツで緑化する方法に関する。ここでグラウンドカバープランツとは、地表面を密に覆い、雑草の発生を防ぐために用いられる草種の総称である。
【背景技術】
【０００２】
これまで水田畦畔等の法面を緑化する方法として様々な方法が開発されてきた。
それらの方法の中にいわゆる防草シートを用いる方法がある。
具体的には例えば、法面にポリオレフィン樹脂製高密度織布などからなる防草シートを張り、２０〜３０ｃｍ間隔に切り込みを入れ、その切り込みにグラウンドカバープランツの苗を植えていく方法（例えば、非特許文献１参照）がある。
一般に防草シートを用いる緑化方法には、根が土壌に張るため、法面では土壌の崩壊を防ぎ、しかも景観も向上するという利点がある。
しかしながら、この方法の場合、苗を入れる穴から雑草が発生したり、斜面での苗の植え付け作業が重労働であるという問題があった。さらに、斜面であることから根が充分に張るまでは土壌が流れたりするという問題もあった。
【０００３】
【非特許文献１】マルチ被覆とシバザクラ植栽を組み合わせた大規模畦畔管理技術、保科  亨・下澤  秀樹・諌山  俊之、近畿中国四国地域における新技術、第１号、平成１５年２月２１日、近畿中国四国農業試験研究推進会議発行
【発明の開示】
【発明が解決しようとする課題】
【０００４】
本発明は、上記従来の問題点を解消し、苗の植え付け作業が容易であり、しかも雑草の発生がほとんど無く、さらに土壌が流れたりするという心配のない法面の緑化方法を提供することを目的とするものである。
【課題を解決するための手段】
【０００５】
本発明者は、上記従来の問題を解消するため鋭意検討を重ねた結果、透水性かつ抑草性のシートを用い、この上に培養土を敷き、グラウンドカバープランツを植え付け育苗した後、生育したグラウンドカバープランツの苗を前記シートと共に剥がし、法面に張り付けることによって目的を達成することができることを見出し、この知見に基づいて本発明を完成するに至った。
【０００６】
請求項１に係る本発明は、グラウンドカバープランツを用いて法面を緑化するにあたり、透水性、通気性、抑草性を有すると共に植物の根を通す性質を有するシート上に培養土を敷き、グラウンドカバープランツを植え付け育苗した後、生育したグラウンドカバープランツの苗を前記シートと共に剥がし、法面に張り付けることを特徴とする法面の緑化方法を提供するものである。
請求項２に係る本発明は、透水性、通気性、抑草性を有すると共に植物の根を通す性質を有するシートが、ポリプロピレンの繊維を熱圧着してなるポリプロピレン製不織布からなるものである請求項１記載の方法を提供するものである。
請求項３に係る本発明は、育苗している期間中、光透過性、透水性、通気性を有するシートで覆う請求項１又は２記載の方法を提供するものである。
請求項４に係る本発明は、グラウンドカバープランツが、宿根バーベナ又はヒメイワダレソウである請求項１〜３のいずれかに記載の方法を提供するものである。
【発明の効果】
【０００７】
請求項１に係る本発明の方法によれば、法面を緑化するに際して、苗の植え付け作業が容易であり、省力化することができ、しかも雑草の発生がほとんど無い。
即ち、請求項１に係る本発明の方法によれば、苗の植え付け作業を法面とは異なる平坦な場所で行うことができることから、作業が容易であり、しかも平坦な場所であることから潅水しても土壌が流れたりする心配がない。そして育苗後にシートごと剥がして法面に張り付ければ作業はほぼ完成し、その後の雑草の発生はほとんどなく、管理の手間が不要になる。
また、請求項３に係る本発明によれば、育苗している期間中、光透過性、透水性、通気性を有するシートで覆う（べたがけ被覆する）ことにより、苗の乾燥が防止されて苗の生育が良好となると共に、風で種子が飛散する雑草の発生を防ぐことができる。しかも、光透過性、透水性、通気性を有するシートで覆うため、苗の生育を損なうことはない。
【発明を実施するための最良の形態】
【０００８】
以下に、本発明を詳しく説明する。
請求項１に係る本発明は、法面の緑化方法に関し、グラウンドカバープランツを用いて法面を緑化するにあたり、透水性、通気性、抑草性を有すると共に植物の根を通す性質を有するシート上に培養土を敷き、グラウンドカバープランツを植え付け育苗した後、生育したグラウンドカバープランツの苗を前記シートと共に剥がし、法面に張り付けることを特徴とするものである。
【０００９】
請求項１に係る本発明は、水田畦畔等の法面の緑化方法に関し、グラウンドカバープランツを用いて法面を緑化するものである。
グラウンドカバープランツとしては、後記試験例で用いた宿根バーベナ、ヒメイワダレソウ、マツバギク、メキシコマンネングサ、ツルマンネングサ、クリーピングタイム、ダイカンドラをはじめ様々なものがあるが、本発明においては根の生育が良好な草種が好ましく、具体的には請求項４に記載したように、宿根バーベナ又はヒメイワダレソウが特に好適である。さらに、多種の草の混植も可能である。
【００１０】
請求項１に係る本発明においては、透水性、通気性、抑草性を有すると共に植物の根を通す性質を有するシートを用い、この上に培養土を敷く。
請求項１に係る本発明において用いるシートは、透水性、通気性、抑草性を有すると共に植物の根を通す性質を有するものであって、植物の根は貫通させるが、雑草などの出芽を防ぐ性質（抑草性）を有するものである。従って、透水性、通気性を有することと相まって、雑草などの出芽を防ぎつつ植物を良好に生育させることができる。
【００１１】
請求項１に係る本発明において用いる透水性、通気性、抑草性を有すると共に植物の根を通す性質を有するシートとしては、請求項２に記載したように、ポリプロピレンの繊維を熱圧着してなるポリプロピレン製不織布からなるものが好ましい。具体的には米国デュポン社製のザバーン（登録商標）防草シートが挙げられる。このものは、ポリプロピレン４層スパンボンド不織布であり、ポリプロピレンの連続繊維を縦横に重ね合わせ、繊維同士を熱圧着したものである。このものは、不織布の中でも繊維が太く、強靭なため丈夫で、しかも透水性、通気性が良好である。さらに、一般に使用されている防草シートは、雑草の発生は防ぐものの、植物の根は通さないものが多い。しかしながら、このものはシート上の植物の根を通す性質がある。このため、根がシート下の土壌に伸長するので、植物の生育も良好である。
【００１２】
なお、ポリプロピレン製であったとしても、織布の場合には、一般にフラットヤーンを一定方向に織っており、繊維同士は融合していないことから斜め方向からの引っ張りに弱く、しかも透水性、通気性は低く、繊維の間から雑草が貫通するため、好ましくない。
【００１３】
請求項１に係る本発明において用いるこのシートは、後にグラウンドカバープランツの苗と一緒に剥がすことから、剥がす際に破断しない程度の強度、厚さを有するものとしておく必要がある。例えば、米国デュポン社製のザバーン（登録商標）６８Ｂ防草シート（厚さ０．２７１ｍｍ）、同１３６Ｇ防草シート（厚さ０．４ｍｍ）などは、太い繊維を圧着しているため、そのまま用いることができる。但し、あまりに厚いものは、根が貫通しにくくなり、また重くなり過ぎるため、好ましくない。
また、シートの大きさは特に制限はないが、後の作業性等を考慮すると、１区画が０．５〜２ｍ×４〜６ｍ程度の大きさのものが通常用いられ、例えば幅１ｍのシートであると、２〜４ｍの長さが適当である。
【００１４】
請求項１に係る本発明においては、上記した如き透水性、通気性、抑草性を有すると共に植物の根を通す性質を有するシートを用い、この上に培養土を敷く。
培養土としては、特に制限はなく、一般に使用されているものを用いることができる。具体的には、例えば市販の育苗用培養土をはじめ山土や水田土壌など、さらにこれらを適宜割合で配合したものなどが挙げられる。但し、市販の育苗用培養土を除く山土や水田土壌などの場合には、内部に含まれる雑草種子からの雑草の発芽を阻止するために高温処理しておくことが望ましい。
請求項１に係る本発明において用いるシートは、育苗後にグラウンドカバープランツの苗と一緒に剥がすことから、グラウンドカバープランツの苗を植え付けてから剥がすまでの間は平坦な場所に置いておくことができ、作業上からも平坦な場所が好ましい。
従って、予め平坦な場所に該シートを置き、その上に培養土を敷き、グラウンドカバープランツを植え付け育苗する。
なお、育苗後に剥がし、張り付ける際に、重いと作業性が悪いため、培養土は厚さ１ｃｍ程度に薄く敷くことが好ましい。なお、山土や水田土壌よりも市販の育苗用培養土のほうが、同じ厚さに敷いた場合でも軽く、グラウンドカバープランツの生育も良好である。
【００１５】
グラウンドカバープランツは、挿し芽、播種などで植え付け、育苗する。
なお、請求項３に記載したように、育苗している期間中、光透過性、透水性、通気性を有するシートで覆う（べたがけ被覆する）ことにより、蒸発散防止機能を有する素材であることから、苗の乾燥が防止されて苗の生育が良好となると共に、風で種子が飛散する雑草の発生を防ぐことができる。しかも、苗の生育を損なうことはない。具体的には光透過性、透水性、通気性を有する不織布又は織布からなるシートが用いられる。特に光透過性、透水性、通気性を有するシートとして、育苗期間中に生分解する不織布や寒冷紗のようなものを使用した場合には、後で剥ぎ取る必要性を減ずることができ好ましい。
【００１６】
このようにして育苗し、充分に生育したところで、通常は全面に生育したところで、生育したグラウンドカバープランツの苗を前記シートと共に剥がし、目的とする法面に張り付ければよい。
前記シートを剥がすにあたっては、作業性を考慮すると、シートの大きさによっては、適宜の大きさに切断してから剥がしてもよい。
なお、生育したグラウンドカバープランツの苗を前記シートと共に張り付ける法面は、予め既存の草を除草剤等で枯らし、さらに表面をならして平らにしておくとよい。
【００１７】
張り付けるにあたっては、前記シートを縦２ｍ、横１ｍ程度に切断しておくと作業性がよく、竹串等で固定するとよい。
貼り付け後は、定着するまで２〜３週間程度は潅水することが好ましい。
このようにして本発明の方法によりグラウンドカバープランツを用いて法面を緑化することができる。
【実施例】
【００１８】
以下、実施例により本発明を詳細に説明するが、本発明はこれらに制限されるものではない。
【００１９】
試験例１（本発明の方法による法面の緑化試験；現地での適性調査）
１）試験方法
・試験場所：育苗＝近畿中国四国農業研究センターの圃場
育苗後の張り付け場所＝農家の水田畦畔
・草種：グラウンドカバープランツ４草種（宿根バーベナ、ヒメイワダレソウ、マツバギク、メキシコマンネングサ）
・試験処理：グラウンドカバープランツの挿し芽の量２水準（多量：各草種１０本／ｍ２、少量：各草種５本／ｍ２）とシートに敷く培養土２種類（山土、水田土）を組み合わせた４処理、１区の大きさは１ｍ×４ｍ。３反復で実施した。なお、４処理区を１列につながった状態で後の育苗を行った。
・栽培概要：２００３年４月９日に透水性かつ抑草性のシート[デュポン社製、ザバーン（登録商標）６８Ｂ防草シート（厚さ０．２７１ｍｍ]を敷いた上に培養土を厚さ１ｃｍ程度敷き、グラウンドカバープランツの挿し芽（長さ５〜１０ｃｍ）を各草種均等に土壌に挿した。
その後、べたがけ用被覆資材（光透過性を有するポリプロピレン製不織布；三井化学プラテック製、パオパオ９０）で覆った。潅水して育苗し、同年６月１８日にシートを４ｍずつに切り（幅は１ｍ）、剥がした後、折りたたんでトラックで運び、農家の水田畦畔（予め除草剤を散布し、雑草を枯らしておいた）に竹串で張り付けた。
【００２０】
２）試験結果
育苗中のグラウンドカバープランツの定着本数と、育苗中及び水田畦畔に張り付け後の被度（一定面積を上から見たときに、その草種が占めている割合）を調べ、その結果を図に示した。
図１は、本試験例１におけるグラウンドカバープランツの定着数を示すグラフである。
また、図２は、本試験例１におけるグラウンドカバープランツの被度の推移を示すグラフである。
【００２１】
図１から明らかなように、定着数は、苗多量区では、山土、水田土のいずれとも、ヒメイワダレソウ、宿根バーベナよりも、マツバギク、メキシコマンネングサが多い傾向があったが、それ以外には明確な傾向はみられなかった。
図２から明らかなように、被度は、メキシコマンネングサが低く、マツバギクは張り付け直後は高かったものの、その後低下した。同年９月２４日には、いずれの処理区もグラウンドカバープランツがほぼ全体に広がり、その後現在まで維持している。雑草の発生はわずかにみられ、２回程度除去した。
【００２２】
本試験から、本発明の工法が実際の農家の水田畦畔でも有効であることが明らかになった。育苗場所が必要であるが、張り付けた後はほとんど管理が不要となり、雑草管理の省力化に役立ち、花の咲く草種もあることから、景観の向上にも役立つと考えられる。
なお、グラウンドカバープランツの草種としては、ヒメイワダレソウ、宿根バーベナは当工法に適していると考えられたが、マツバギクは苗がかさばり、育苗後の運搬に不向きであり、病害や湿害によって枯死したことから不向きであると考えられ、メキシコマンネングサは根の伸長が悪く、シートの下まで根が伸びていないことから、運搬によって苗が脱落したため、適していないと判断される。
培養土については、２種類とも苗の生育があまり良くなく、重いため、育苗後の運搬・張り付け作業に苦労した。従って、培養土は、計量の用土を用いる必要があると考えられた。また、育苗中の潅水作業の省力化のため、保水性の高い培養土を用いたほうがよいと考えられた。
本試験では、苗がシート全面を覆う前に剥がして農家の水田畦畔に張ったが、運搬中に苗が生育していない部分の培養土が脱落したことから、苗が全面を覆ってから剥がして運搬するほうがよいと考えられた。
【００２３】
試験例２（培養土の検討）
１）試験方法
・試験場所：育苗＝近畿中国四国農業研究センターの圃場
育苗後の張り付け場所＝近畿中国四国農業研究センターの圃場
・草種：グラウンドカバープランツ４草種（宿根バーベナ、ヒメイワダレソウ、ツルマンネングサ、クリーピングタイム）
・試験処理：シートに敷く培養土５種類−市販育苗培土（タキイ種苗製）、バーミキュライト（人工的な園芸用土）、市販育苗培土に保水樹脂（商品名：サーモゲル）を０．２％混合したもの、バーミキュライトに保水樹脂を０．２％混合したもの、泥炭腐植土（商品名：ルーフソイル）、１区の大きさは１ｍ×０．５ｍ。２反復で実施した。
・栽培概要：２００３年８月６日に透水性かつ抑草性のシート[デュポン社製、ザバーン（登録商標）６８Ｂ防草シート（厚さ０．２７１ｍｍ]を敷いた上に培養土を厚さ１ｃｍ程度敷き、グラウンドカバープランツの挿し芽（長さ５〜１０ｃｍ）を各草種１０本／ｍ２の割合で均等に土壌に挿した。
その後、べたがけ用被覆資材（光透過性を有するポリプロピレン製不織布；三井化学プラテック製、パオパオ９０）で覆った。潅水して育苗し、バーミキュライト区は液肥を施用した。同年９月１６日にシートを剥がした後、圃場内の別の場所（除草済み）に竹串で張り付けた。
【００２４】
２）試験結果
育苗中のグラウンドカバープランツの定着本数と、育苗後のシート重量とを調べた結果を表１に示す。
また、圃場内の別の場所に張り付けた後の被度を調べ、その結果を図に示した。図３は、本試験例２におけるグラウンドカバープランツの被度の推移を示すグラフである。
【００２５】
【表１】
2005328796.tif 000002
【００２６】
表１から明らかなように、定着数はクリーピングタイムがやや少なかったが、他の草種はいずれの培養土でも良好であった。
また、図３から明らかなように、被度はヒメイワダレソウ、宿根バーベナが高く、クリーピングタイムが低かった。培養土では、市販育苗培土が高く、バーミキュライトは低かった。保水樹脂混合の効果は明らかでなかった。育苗後の苗を含めたシートの重量は、表１に示されるように、４．８〜７．１ｋｇ／ｍ２と、いずれの処理区も軽量であり、作業性には問題はなかった。
本試験例２では、試験例１よりもグラウンドカバープランツの生育が良好であり、特に市販育苗培土は非常に良好な生育がみられた。また、シート重量も軽く、保水性も問題なかったことから、本工法に適した培養土であると考えられた。草種は、試験例１と同様にヒメイワダレソウ、宿根バーベナは生育が旺盛で、ツルマンネングサも比較的成育は良く、当工法に適していると思われたが、クリーピングタイムは生育が遅く、問題があると思われた。
【００２７】
試験例３（べたがけ用被覆資材の必要性の検討）
１）試験方法
・試験場所：育苗＝近畿中国四国農業研究センターの圃場
育苗後の張り付け場所＝近畿中国四国農業研究センターの道路法面
・草種：グラウンドカバープランツ４草種（ヒメイワダレソウ、宿根バーベナ、ツルマンネングサ、ダイカンドラ）
・試験処理：べたがけ用被覆資材の有無と混植草種組み合わせ２処理［（ア）３草種混植−ヒメイワダレソウ、宿根バーベナ、ツルマンネングサ、（イ）４草種混植−ヒメイワダレソウ、宿根バーベナ、ツルマンネングサ、ダイカンドラ］を組み合わせた４処理区、１区の大きさは１ｍ×６ｍ。３反復で実施した。
・栽培概要：２００３年９月１９日に透水性かつ抑草性のシート[デュポン社製、ザバーン（登録商標）６８Ｂ防草シート（厚さ０．２７１ｍｍ]を敷いた上に市販育苗培土を厚さ１ｃｍ程度敷き、グラウンドカバープランツの挿し芽（長さ５〜１０ｃｍ）を各草種１０本／ｍ２の割合で均等に土壌に挿した。なお、ダイカンドラは１．５ｇ／ｍ２を播種した。
その後、べたがけ被覆区は、べたがけ用被覆資材（光透過性を有するポリプロピレン製不織布；三井化学プラテック製、パオパオ９０）で覆った。潅水して育苗し、同年１０月２０日にべたがけ用被覆資材を除去した。
【００２８】
２）試験結果
べたがけ被覆が雑草の発生に及ぼす影響を調べた。３草種混植と４草種混植における雑草本数をべたがけ被覆区と無処理区とで調べた結果を表２に示す。
次に、３草種混植と４草種混植におけるグラウンドカバープランツの定着本数をべたがけ被覆区と無処理区とで調べた結果を表３に示す。但し、ダイカンドラを除く。
また、３草種混植におけるグラウンドカバープランツの被度をべたがけ被覆区と無処理区とで調べた結果を表４に示す。
さらに、４草種混植におけるグラウンドカバープランツの被度をべたがけ被覆区と無処理区とで調べた結果を表５に示す。
【００２９】
【表２】
2005328796.tif 000003
【００３０】
【表３】
2005328796.tif 000004
【００３１】
【表４】
2005328796.tif 000005
【００３２】
【表５】
2005328796.tif 000006
【００３３】
表２から明らかなように、雑草本数は、べたがけ被覆区では僅かであったが、無処理区では３草種混植の場合６．３本／ｍ２、４草種混植の場合１０．３本／ｍ２みられた。
次に、表３から明らかなように、グラウンドカバープランツの定着本数は、３草種混植の場合、４草種混植の場合のいずれとも、べたがけ被覆区のほうが無処理区よりも多かった。特にヒメイワダレソウ、宿根バーベナでは効果がはっきり認められた。
さらに、表４、５から明らかなように、グラウンドカバープランツの合計被度は、べたがけ被覆区が無処理区を大きく上回った。３草種混植の場合よりも４草種混植の場合のほうが合計被度が高かった。
本試験例３では、育苗期間中のべたがけ被覆の効果が明確に示された。べたがけ被覆によって、グラウンドカバープランツの生育は良好となり、風で飛散してくる雑草種子の発芽も防止できた。べたがけ被覆資材のコストがかかるが、べたがけ被覆資材は再利用が可能であり、３〜４回使用できると考えれば、1回あたりのコストも安くすみ、当工法では使用した方がよいと考えられた。
ダイカンドラについては、他のグラウンドカバープランツは殆どが栄養繁殖で種がつかないのに比し、播種できることから、挿し芽よりも省力的に施工できることが分かった。
【産業上の利用可能性】
【００３４】
請求項１に係る本発明によれば、苗の植え付け作業が容易であり、しかも雑草の発生がほとんど無く、省力的に法面を緑化することができる。
従って、本発明は、水田畦畔等の法面の緑化方法として有用である。
【図面の簡単な説明】
【００３５】
【図１】本試験例１におけるグラウンドカバープランツの定着数を示すグラフである。
【図２】本試験例１におけるグラウンドカバープランツの被度の推移を示すグラフである。
【図３】本試験例２におけるグラウンドカバープランツの被度の推移を示すグラフである。
【図１】
2005328796.tif 000007
【図２】
2005328796.tif 000008
【図３】
2005328796.tif 000009